(57)【要約】【課題】ガスケットを備えた扉を有する冷蔵庫において、扉を閉めたときのガスケットと冷蔵庫本体との衝撃音を低減する。【解決手段】冷蔵室扉２４の庫内側周縁には、凹部３７に取り付けられた軟質の合成樹脂（例えば塩化ビニル樹脂）で一体成形されているガスケット３１を有し、ガスケット本体３１は、回転仕切体２８のフランジ面３５に対向するシール面３９をフランジ面３５に対して傾斜させることで、冷蔵室扉２４、２５閉成時、回転仕切体２８のフランジ面３５に対向するガスケット３１のシール面３９は、接触初期、接触点３８がフランジ面３５に先に当接し、従来のシール面がフランジ面３５に面接触していたものから線接触に変わるので、ガスケット３１とフランジ面３５の接触時の衝撃音が低減される。【選択図】図２
2005201520.tif 000002
【特許請求の範囲】
【請求項１】
箱体の前面開口部に位置し、前面開口部をシールする扉に備えたガスケットにおいて、前記前面開口部のフランジ面に対向して前記ガスケットの当接面を傾斜させ、前記ガスケットと前記フランジ面の接触初期を線接触とすることを特徴とするガスケット。
【請求項２】
箱体の前面開口部に位置し、前面開口部をシールする扉に備えたガスケットにおいて、前記ガスケットの内部に軟質部材を配置し、前記前面開口部のフランジ面に対向して前記ガスケットの当接面を傾斜させ、前記ガスケットと前記フランジ面の接触初期を線接触とすることを特徴とするガスケット。
【請求項３】
箱体の前面開口部に位置し、前面開口部をシールする扉に備えたガスケットにおいて、前記ガスケットの固定部に軟質部材を配置し、前記前面開口部のフランジ面に対向して前記ガスケットの当接面を傾斜させ、前記ガスケットと前記フランジ面の接触初期を線接触とすることを特徴とするガスケット。
【請求項４】
請求項１から請求項３のいずれか一項に記載のガスケットを備えた扉および冷蔵庫。
【請求項５】
請求項１から請求項３のいずれか一項に記載のガスケットを備えた扉はヒンジ式とした請求項４に記載の扉および冷蔵庫。
【請求項６】
左右にヒンジ式扉を有し、扉の閉動作により回転して仕切部を構成する回転仕切体を備えた観音開き式扉を有する冷蔵庫において、前記ヒンジ式扉に請求項１から請求項３のいずれか一項に記載のガスケットを備えたことを特徴とする冷蔵庫。
【請求項７】
左右にヒンジ式扉を有し、扉の閉動作により回転して仕切部を構成する回転仕切体を備えた観音開き式扉を有する冷蔵庫において、一方の扉の閉動作時、他方の扉の閉状態を維持するラッチの保持を若干解除し、前記扉に備えたガスケットのシール解除が風圧の逃がし代として働くようにラッチの保持力を設定したことを特徴とする冷蔵庫。
【請求項８】
請求項７に記載の冷蔵庫に、さらに請求項１から請求項３のいずれか一項に記載のガスケットを備えたことを特徴とする冷蔵庫。
【発明の詳細な説明】
【技術分野】
【０００１】
本発明は、冷蔵庫のガスケット構造及びそれを備えた冷蔵庫に関するものである。
【背景技術】
【０００２】
従来より、冷蔵庫の扉は扉周縁にガスケットを有している。（例えば、特許文献１参照）
以下図面を参照しながら上記従来のガスケットを説明する。
【０００３】
図７は従来の冷蔵庫の扉に備えたガスケットの分解断面図である。図７に示すように扉１１の凹溝１２内にガスケット１３の係止部１４を挿入することにより、ガスケット１３は扉１１の裏面に取付けられ、扉を閉じるとガスケット１３のシール部１５に内蔵されたマグネット１６の吸着力によってフランジ面１７に吸着し扉１１と本体間のシールを行う。
【特許文献１】特開平９−１３３４５５号公報
【発明の開示】
【発明が解決しようとする課題】
【０００４】
しかしながら、上記従来の構成は、ガスケット１３のシール部１５が冷蔵庫箱体のフランジ面１２（観音開き式冷蔵庫においては回転仕切体のフランジ面）と平行なため、冷蔵室扉を閉めるときガスケット１３と冷蔵庫箱体のフランジ面１２（観音開き式冷蔵庫においては回転仕切体のフランジ面）とが面接触となり、接触時の衝撃音が大きいという欠点があった。
【０００５】
また観音開き式冷蔵庫においては、組立バラツキにより回転仕切体の平行度が出ていないとき、回転仕切体とガスケット１３のシールが出来ず、冷蔵室庫内に結露が発生することがあるという欠点があった。
【０００６】
本発明は従来の課題を解決するもので、ガスケットの断面形状を変えることによりガスケットとフランジ面との衝撃音を低減した冷蔵庫を提供するものである。
【０００７】
またガスケットの圧縮代を増やすことができ、観音開き式冷蔵庫においては、組立バラツキに左右されずに回転仕切体とガスケットのシール性を向上することを目的とする。
【課題を解決するための手段】
【０００８】
上記課題を解決するため、本発明は、箱体の前面開口部に位置し、前面開口部をシールする扉に備えたガスケットにおいて、前記前面開口部のフランジ面に対向して前記ガスケットの当接面を傾斜させ、前記ガスケットと前記フランジ面の接触初期を線接触とするものであり、扉閉成時、ガスケットとフランジ面の接触音を低減することができる。
【０００９】
また、箱体の前面開口部に位置し、前面開口部をシールする扉に備えたガスケットにおいて、前記ガスケットの内部に軟質部材を配置し、前記前面開口部のフランジ面に対向して前記ガスケットの当接面を傾斜させ、前記ガスケットと前記フランジ面の接触初期を線接触とするものであり、扉閉成時、ガスケットとフランジ面の接触音を低減することができるとともに、ガスケットの内部に設けた軟質部材により、ガスケットとフランジ面の接触性が高まり、シール性を向上することが出来る。
【００１０】
また、箱体の前面開口部に位置し、前面開口部をシールする扉に備えたガスケットにおいて、前記ガスケットの固定部に軟質部材を配置し、前記前面開口部のフランジ面に対向して前記ガスケットの当接面を傾斜させ、前記ガスケットと前記フランジ面の接触初期を線接触とするものであり、ガスケットの固定部でガスケットの当接面を傾斜させることで新規のガスケットを用いる必要がなく、コスト低減が可能となる。
【発明の効果】
【００１１】
本発明によれば、箱体の前面開口部に位置し、前面開口部をシールする扉に備えたガスケットにおいて、前記前面開口部のフランジ面に対向して前記ガスケットの当接面を傾斜させ、前記ガスケットと前記フランジ面の接触初期を線接触とするものであり、扉閉成時、ガスケットとフランジ面の接触音を低減することができる。
【００１２】
また、箱体の前面開口部に位置し、前面開口部をシールする扉に備えたガスケットにおいて、前記ガスケットの内部に軟質部材を配置し、前記前面開口部のフランジ面に対向して前記ガスケットの当接面を傾斜させ、前記ガスケットと前記フランジ面の接触初期を線接触とするものであり、扉閉成時、ガスケットとフランジ面の接触音を低減することができるとともに、ガスケットの内部に設けた軟質部材により、ガスケットとフランジ面の接触性が高まり、シール性を向上することが出来る。
【００１３】
また、箱体の前面開口部に位置し、前面開口部をシールする扉に備えたガスケットにおいて、前記ガスケットの固定部に軟質部材を配置し、前記前面開口部のフランジ面に対向して前記ガスケットの当接面を傾斜させ、前記ガスケットと前記フランジ面の接触初期を線接触とするものであり、ガスケットの固定部でガスケットの当接面を傾斜させることで新規のガスケットを用いる必要がなく、コスト低減が可能となる。
【発明を実施するための最良の形態】
【００１４】
請求項１に記載の発明は、箱体の前面開口部に位置し、前面開口部をシールする扉に備えたガスケットにおいて、前記前面開口部のフランジ面に対向して前記ガスケットの当接面を傾斜させ、前記ガスケットと前記フランジ面の接触初期を線接触とするものであり、扉閉成時、ガスケットとフランジ面の接触音を低減することができる。
【００１５】
請求項２に記載の発明は、箱体の前面開口部に位置し、前面開口部をシールする扉に備えたガスケットにおいて、前記ガスケットの内部に軟質部材を配置し、前記前面開口部のフランジ面に対向して前記ガスケットの当接面を傾斜させ、前記ガスケットと前記フランジ面の接触初期を線接触とするものであり、扉閉成時、ガスケットとフランジ面の接触音を低減することができるとともに、ガスケットの内部に設けた軟質部材により、ガスケットとフランジ面の接触性が高まり、シール性を向上することが出来る。
【００１６】
請求項３に記載の発明は、箱体の前面開口部に位置し、前面開口部をシールする扉に備えたガスケットにおいて、前記ガスケットの固定部に軟質部材を配置し、前記前面開口部のフランジ面に対向して前記ガスケットの当接面を傾斜させ、前記ガスケットと前記フランジ面の接触初期を線接触とするものであり、ガスケットの固定部でガスケットの当接面を傾斜させることで新規のガスケットを用いる必要がなく、コスト低減が可能となる。
【００１７】
請求項４に記載の発明は、請求項１から請求項３のいずれか一項に記載のガスケットを備えた扉を有する冷蔵庫であり、扉閉成時、ガスケットとフランジ面の接触音を低減した使い勝手のよい冷蔵庫を提供できる。
【００１８】
請求項５に記載の発明は、請求項４に記載の発明において、請求項１から請求項３のいずれか一項に記載のガスケットを備えた扉はヒンジ式としたものであり、ガスケットとフランジ面の接触音が比較的大きくなりやすいヒンジ式扉の衝撃音を低減できる。
【００１９】
請求項６に記載の発明は、左右にヒンジ式扉を有し、扉の閉動作により回転して仕切部を構成する回転仕切体を備えた観音開き式扉を有する冷蔵庫において、前記ヒンジ式扉に請求項１から請求項３のいずれか一項に記載のガスケットを備えたものであり、回転仕切体を備えた観音開き式扉の、特に回転仕切体とガスケットとの接触音を低減することができる。
【００２０】
請求項７に記載の発明は、左右にヒンジ式扉を有し、扉の閉動作により回転して仕切部を構成する回転仕切体を備えた観音開き式扉を有する冷蔵庫において、一方の扉の閉動作時、他方の扉の閉状態を維持するラッチの保持を若干解除し、前記扉に備えたガスケットのシール解除が風圧の逃がし代として働くようにラッチの保持力を設定したものであり、一方の扉を閉めるときに発生する風圧の逃がし代を持つことにより、回転仕切体とガスケットとの接触音を低減することができる。
【００２１】
請求項８に記載の発明は、請求項７に記載の冷蔵庫に、さらに請求項１から請求項３のいずれか一項に記載のガスケットを備えたものであり、線接触と風圧の逃がし代の相乗効果により、回転仕切体とガスケットとの接触音をさらに低減することができる。
【００２２】
以下、本発明の実施の形態について、図面を参照しながら説明する。なお、従来と同一構成については、同一符号を付して詳細な説明を省略する。また、この実施の形態によってこの発明が限定されるものではない。
【００２３】
（実施の形態１）
図１は本発明の実施の形態１による冷蔵庫の冷蔵室の要部平面断面図、図２は同実施の形態の要部拡大断面図である。
【００２４】
図１、２において、冷蔵庫２１は前面を開口した断熱箱体２２を有し、上部に冷蔵室２３、中央部に野菜室、下部に冷凍室を備えている。冷蔵室２３の前面開口部には左右にヒンジ式の冷蔵室扉２４、２５を有し、ヒンジ部２６、２７を回転軸として回動する。また、冷蔵室扉２４の反ヒンジ側には冷蔵室扉２４の閉動作により回転して仕切部を構成する回転仕切体２８を備えている。また、冷蔵室扉２４、２５の庫内側にはドアポケット２９、３０を有している。
【００２５】
冷蔵室扉２４の庫内側周縁には、凹部３７に取り付けられた軟質の合成樹脂（例えば塩化ビニル樹脂）で一体成形されているガスケット３１を有し、ガスケット本体３１は、回転仕切体２８のフランジ面３５に対向するシール面３９をフランジ面３５に対して傾斜させるために、伸縮部３２、３３により持ち上げられ、さらに伸縮部３４によって内側へ引っ張られるように構成している。
【００２６】
上記構成により、冷蔵室扉２４、２５閉成時、回転仕切体２８のフランジ面３５に対向するガスケット３１のシール面３９は、接触初期、接触点３８がフランジ面３５に先に当接し、従来のシール面がフランジ面３５に面接触していたものから線接触に変わるので、ガスケット３１とフランジ面３５の接触時の衝撃音が低減される。
【００２７】
また、冷蔵室２３の前面開口部には左右にヒンジ式の冷蔵室扉２４、２５を有し、ヒンジ部２６、２７を回転軸として回動するとともに、冷蔵室扉２４の反ヒンジ側には冷蔵室扉２４の閉動作により回転して仕切部を構成する回転仕切体２８を備えたものであるので、冷蔵室２３の左右中央部に固定した仕切りがなく、使い勝手を向上した上で、ガスケット３１とフランジ面３５の接触音が比較的大きくなりやすいヒンジ式扉の衝撃音を低減できる。また特に、回転仕切体を備えた観音開き式扉の回転仕切体とガスケットとの接触音を低減することができる。
【００２８】
（実施の形態２）
図３は本発明の実施の形態２による冷蔵庫の冷蔵室の要部平面断面図、図４は同実施の形態の要部拡大断面図である。なお、実施の形態１と同一構成部分については、詳細な説明を省略し異なる部分についてのみ説明する。
【００２９】
図３、４において、冷蔵室扉２４の庫内側周縁には、凹部４７に取り付けられた軟質の合成樹脂（例えば塩化ビニル樹脂）で一体成形されているガスケット４１を有し、ガスケット本体４１は、空間部４２に配置されている軟質発泡体（例えばポリエチフォーム）４３によって、ガスケット４１の回転仕切体２８のフランジ面３５に対向するシール面４４をフランジ面３５に対して傾斜させている。
【００３０】
上記構成により、冷蔵室扉２４、２５閉成時、回転仕切体２８のフランジ面３５に対向するガスケット４１のシール面４４は、接触初期、接触点４５がフランジ面３５に先に当接し、従来のシール面がフランジ面３５に面接触していたものから線接触に変わるので、ガスケット４１とフランジ面３５の接触時の衝撃音が低減される。また、軟質発泡体４２が、ガスケット４１とフランジ面３５の衝突時の緩衝材の役目をし、ガスケット４１とフランジ面４５の衝撃音がさらに低減される。
【００３１】
さらに、冷蔵室扉２４、２５閉時、空間部４２に配置されている軟質発泡体４３によって、ガスケット４１のシール面４４とフランジ面３５の接触度合が高まり、シール性を向上することが出来る。また、組立バラツキにより回転仕切体２８の平行度が出ていないときでも、回転仕切体２８とガスケット４１のシール性が向上し、回転仕切体２８周辺の結露を防止できる。
【００３２】
なお、実施の形態１で説明したシール面を傾斜させたガスケットの内部に、さらに本実施の形態で説明した軟質発泡体４２を配置してもよい。この場合、シール面の傾斜を確実に確保しながら、軟質発泡体４２が、ガスケット４１とフランジ面３５の衝突時の緩衝材の役目を果たし、衝撃音が確実に低減される。
【００３３】
（実施の形態３）
図５は本発明の実施の形態３による冷蔵庫の冷蔵室の要部平面断面図、図６は同実施の形態の要部拡大断面図である。なお、実施の形態１と同一構成部分については、詳細な説明を省略し異なる部分についてのみ説明する。
【００３４】
図５、６において、冷蔵室扉２４の庫内側周縁には、凹部３７に取り付けられた軟質の合成樹脂（例えば塩化ビニル樹脂）で一体成形されているガスケット５１を有し、ガスケット本体５１は、凹部３７の近傍の固定部にクサビ状の軟質部材５２を配置し、ガスケット５１の回転仕切体２８のフランジ面３５に対向するシール面５３をフランジ面３５に対して傾斜させている。
【００３５】
上記構成により、冷蔵室扉２４、２５閉成時、回転仕切体２８のフランジ面３５に対向するガスケット５１のシール面５３は、接触初期、接触点５４がフランジ面３５に先に当接し、従来のシール面がフランジ面３５に面接触していたものから線接触に変わるので、ガスケット５１とフランジ面３５の接触時の衝撃音が低減される。また、ガスケット５１の固定部でガスケット５１の当接面を傾斜させることで新規のガスケットを用いる必要がなく、従来のガスケットを流用でき、コスト低減が可能となる。
【００３６】
なお、冷蔵室２３の前面開口部に左右にヒンジ式の冷蔵室扉２４、２５を有し、ヒンジ部２６、２７を回転軸として回動するとともに、冷蔵室扉２４の反ヒンジ側に冷蔵室扉２４の閉動作により回転して仕切部を構成する回転仕切体２８を備えた観音開き式扉を有する冷蔵庫で、一方の扉の閉動作時、他方の扉の閉状態を維持するラッチ機構の保持を若干解除し、前記扉に備えたガスケットのシール解除が風圧の逃がし代として働くようにラッチの保持力を設定してもよい。この場合、一方の扉を閉めるときに発生する風圧の逃がし代を持つことにより、回転仕切体とガスケットとの接触音を低減することができる。
【００３７】
また、上記のラッチ保持力の設定と、フランジ面３５に対向するシール面３９をフランジ面３５に対して傾斜させた構造を組み合わせたものとしてもよい。この場合、ガスケット３１のシール面３９とフランジ面３５との線接触と、風圧の逃がし代の設定の相乗効果により、回転仕切体とガスケットとの接触音をさらに低減することができる。
【産業上の利用可能性】
【００３８】
以上のように、本発明は、ガスケットとフランジ面の接触音を低減し、シール性を向上することができ、冷蔵庫等のガスケットを有する扉を備えた機器に適用できる。
【図面の簡単な説明】
【００３９】
【図１】本発明の実施の形態１による冷蔵庫の冷蔵室の要部平面断面図
【図２】同実施の形態の要部拡大断面図
【図３】本発明の実施の形態２による冷蔵庫の冷蔵室の要部平面断面図
【図４】同実施の形態の要部拡大断面図
【図５】本発明の実施の形態３による冷蔵庫の冷蔵室の要部平面断面図
【図６】同実施の形態の要部拡大断面図
【図７】従来の冷蔵庫の扉に備えたガスケットの分解断面図
【符号の説明】
【００４０】
２１    冷蔵庫
２２    断熱箱体
２３    冷蔵室
２４、２５    冷蔵室扉
２８    回転仕切体
３１、４１、５１    ガスケット本体
３５    フランジ面
３９、４４、５３    シール面
４２    空間部
４３、５２    軟質発泡体
【図１】
2005201520.tif 000003
【図２】
2005201520.tif 000004
【図３】
2005201520.tif 000005
【図４】
2005201520.tif 000006
【図５】
2005201520.tif 000007
【図６】
2005201520.tif 000008
【図７】
2005201520.tif 000009